【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
第１のネットワーク内に存在するサービスの第２のネットワークからの利用を制御する通信装置であって、
前記第１のネットワークに接続する接続手段と、
前記第１のネットワーク内に存在するサービスの種別を判断する判断手段と、
前記第１のネットワークと第２のネットワークの接続をするプロトコルに基づいて、前記第２のネットワークに信号を送信する第１の送信手段と、
前記第１のネットワーク内のサービスを制御するプロトコルに基づいて、前記第１のネットワーク内のサービスに信号を送信する第２の送信手段と
を有し、
前記第１の送信手段は、前記判断手段によって、前記第１のネットワーク内のサービスがデータ供給サービスであると判断された場合、前記第１のネットワークと第２のネットワークの接続をするプロトコルに基づいて、前記第１のネットワーク内のデータ供給サービスに対する前記第２のネットワークからのデータ要求を終了させるための信号を前記第２のネットワークに送信し、
前記第２の送信手段は、前記第１の送信手段が前記データ要求を終了させるための信号を送信してから、前記第１のネットワーク内のサービスを制御するプロトコルに基づいて、前記第１のネットワーク内のデータ供給サービスを終了させるための信号を送信する
ことを特徴とする通信装置。
【請求項２】
前記第２の送信手段は、前記第２のネットワークから送信される、前記第１のネットワークと第２のネットワークの論理的な接続を解除するための要求を受信してから、前記第１のネットワーク内のサービスを終了させるための信号を送信することを特徴とする請求項１記載の通信装置。
【請求項３】
前記判断手段によって前記第１のネットワーク内のサービスがデータ受信サービスであると判断された場合、前記第２の送信手段は、前記第１のネットワーク内のサービスを制御するプロトコルに基づいて、前記第２のネットワーク内のサービスへのデータ要求を終了させるための信号を前記第１のネットワーク内のサービスに送信し、前記第１の送信手段は、前記第２の送信手段が前記データ要求を終了させるための信号を送信してから、前記第１のネットワークと第２のネットワークの接続をするプロトコルに基づいて、前記第２のネットワーク内のサービスを終了させるための信号を前記第２のネットワークに送信することを特徴とする請求項１記載の通信装置。
【請求項４】
前記第１の送信手段が送信する前記第２のネットワーク内のサービスを終了させるための信号は、前記第１のネットワークと第２のネットワークの論理的な接続の解除を要求する信号であることを特徴とする請求項３記載の通信装置。
【請求項５】
前記判断手段は、前記第１のネットワーク内のサービスを提供する機器に対して送信した生存確認に対する応答の有無を判断し、
前記第１の送信手段は、前記判断手段によって、前記生存確認に対する応答が無く、かつ、前記第１のネットワーク内のサービスがデータ供給サービスであると判断された場合、前記第１のネットワーク内のサービスに対するデータ要求を終了させるための信号を前記第２のネットワークに送信する
ことを特徴とする請求項１又は２に記載の通信装置。
【請求項６】
前記判断手段は、前記第１のネットワーク内のサービスを提供する機器に対して送信した生存確認に対する応答の有無を判断し、
前記判断手段によって、前記生存確認に対する応答が無く、かつ、前記第１のネットワーク内のサービスがデータ受信サービスであると判断された場合、前記第１の送信手段は、前記第２のネットワーク内のデータ供給サービスを終了させるための信号を前記第２のネットワークに送信する
ことを特徴とする請求項３又は４に記載の通信装置。
【請求項７】
第１のネットワーク内に存在するサービスの第２のネットワークからの利用を制御する制御方法であって、
前記第１のネットワークに接続する接続工程と、
前記第１のネットワーク内に存在するサービスの種別を判断する判断工程と、
前記第１のネットワークと第２のネットワークの接続をするプロトコルに基づいて、前記第２のネットワークに信号を送信する第１の送信工程と、
前記第１のネットワーク内のサービスを制御するプロトコルに基づいて、前記第１のネットワーク内のサービスに信号を送信する第２の送信工程と
を有し、
前記第１の送信工程は、前記判断工程によって、前記第１のネットワーク内のサービスがデータ供給サービスであると判断された場合、前記第１のネットワークと第２のネットワークの接続をするプロトコルに基づいて、前記第１のネットワーク内のデータ供給サービスに対する前記第２のネットワークからのデータ要求を終了させるための信号を前記第２のネットワークに送信し、
前記第２の送信工程は、前記第１の送信工程が前記データ要求を終了させるための信号を送信してから、前記第１のネットワーク内のサービスを制御するプロトコルに基づいて、前記第１のネットワーク内のデータ供給サービスを終了させるための信号を送信する
ことを特徴とする制御方法。
【請求項８】
第１のネットワーク内に存在するサービスの第２のネットワークからの利用を制御するコンピュータに、
前記第１のネットワークに接続する接続手順と、
前記第１のネットワーク内に存在するサービスの種別を判断する判断手順と、
前記第１のネットワークと第２のネットワークの接続をするプロトコルに基づいて、前記第２のネットワークに信号を送信する第１の送信手順と、
前記第１のネットワーク内のサービスを制御するプロトコルに基づいて、前記第１のネットワーク内のサービスに信号を送信する第２の送信手順と
を実行させ、
前記第１の送信手順は、前記判断手順によって、前記第１のネットワーク内のサービスがデータ供給サービスであると判断された場合、前記第１のネットワークと第２のネットワークの接続をするプロトコルに基づいて、前記第１のネットワーク内のデータ供給サービスに対する前記第２のネットワークからのデータ要求を終了させるための信号を前記第２のネットワークに送信し、
前記第２の送信手順は、前記第１の送信手順が前記データ要求を終了させるための信号を送信してから、前記第１のネットワーク内のサービスを制御するプロトコルに基づいて、前記第１のネットワーク内のデータ供給サービスを終了させるための信号を送信する
ことを特徴とするプログラム。
【手続補正２】
【補正対象書類名】明細書
【補正対象項目名】００８０
【補正方法】変更
【補正の内容】
【００８０】
そして、コントローラ３２のＳＩＰ制御部３０３は、コントローラ１２に対し、デジタルテレビ１１によるデータ要求の終了を依頼する情報を、ＳＩＰのＩＮＦＯリクエスト（情報通知）のＢＯＤＹ部に付加して送信する（Ｆ２０４）。即ち、Ｆ２０３においてホームネットワーク３内のサービスがデータ供給サービスであると判断された場合、ＳＩＰ制御部３０３は、ホームネットワーク３内のサービスに対するデータ要求を終了させるための信号をホームネットワーク１に送信する。また、Ｆ２０４において、ＳＩＰ制御部３０３は、ホームネットワーク１とホームネットワーク３を接続するプロトコル（ＳＩＰ）に基づいて、ストレージサーバ３１に対するデータ要求を終了させるための信号を送信する。尚、コントローラ３２は、デジタルテレビ１１とストレージサーバ３１の間におけるサービスの授受に先立って、ホームネットワーク１のコントローラ１２との間で、セッションを確立するための接続処理を実行している。したがって、コントローラ３２は、Ｆ２０１で終了要求が検出されたストレージサーバ３１のサービスに対応するデータ受信サービスが、ホームネットワーク１内にあることを認識している。同様に、ホームネットワーク１内のコントローラ１２は、デジタルテレビ１１がホームネットワーク３からのデータを受信するサービスを実行していることを認識している。